【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
被写体の光学的な画像信号を出力する撮像装置であって、
前記被写体の光学的な像を撮像して、電気的な画像信号に変換する撮像素子と、
前記撮像素子より得られる画像信号に基づく撮影画像の一部の領域に演算処理を施して拡大画像を生成する電子ズーム手段と、
拡大すべき前記一部の領域の範囲を示す電子ズーム枠を設定する電子ズーム枠設定手段と、
表示すべき表示画像を生成して出力する表示制御手段と、
前記表示制御手段の出力に基づいて前記表示画像を表示する表示手段とを備え、
前記表示画像は、前記撮影画像と、前記電子ズーム手段によって生成された前記拡大画像と、前記電子ズーム枠設定手段によって設定された前記電子ズーム枠とを含み、
前記表示手段は、前記撮影画像および前記拡大画像をそれぞれ異なる表示領域に配置して同時に表示可能であることを特徴とする、撮像装置。
【請求項２】
さらに、前記電子ズーム枠に関する情報を受け付ける電子ズーム枠情報受付手段を備え、
前記電子ズーム枠設定手段は、前記電子ズーム枠情報受付手段が受け付けた情報に基づいて前記電子ズーム枠を設定することを特徴とする、請求項１に記載の撮像装置。
【請求項３】
前記電子ズーム枠に関する情報は、前記電子ズーム枠のアスペクト比、大きさ、および配置のうち少なくとも１つに関する情報であることを特徴とする、請求項２に記載の撮像装置。
【請求項４】
さらに、前記被写体の光学的な像を変倍する光学ズーム手段と、
前記光学ズーム手段の変倍率を指示するための情報の入力を受け付ける倍率受付手段とを備え、
前記倍率受付手段と、前記電子ズーム枠情報受付手段とは、同一の入力手段であり、
前記電子ズーム枠情報受付手段は、前記電子ズーム枠の大きさに関する情報を受け付けることを特徴とする、請求項２に記載の撮像装置。
【請求項５】
さらに、前記被写体の光学的な像を変倍する光学ズーム手段を備え、
前記撮影画像は、前記光学ズーム手段がほぼ最短焦点距離状態にある際に得られる画像であることを特徴とする、請求項１に記載の撮像装置。
【請求項６】
前記表示画像は、前記撮影画像および前記拡大画像のズームに関する情報を含むことを特徴とする、請求項１に記載の撮像装置。
【請求項７】
前記表示画像は、前記拡大画像の画素数に関する情報を含むことを特徴とする、請求項１に記載の撮像装置。
【請求項８】
さらに、前記撮影画像を記録する記録手段を備え、
前記記録手段が前記拡大画像を記録することを特徴とする、請求項１に記載の撮像装置。
【請求項９】
さらに、前記電子ズーム枠情報受付手段が受け付けた前記電子ズーム枠に関する情報を確定するための確定指示を受け付ける確定指示受付手段を備えることを特徴とする、請求項２に記載の撮像装置。
【請求項１０】
さらに、前記確定指示受付手段が前記確定指示を受け付けると、前記撮影画像に対する前記拡大画像の倍率を算出する倍率算出手段を備える、請求項９に記載の撮像装置。
【請求項１１】
さらに、前記確定指示受付手段が前記確定指示を受け付けると、前記倍率算出手段によって算出された倍率に対応するように前記像を光学的に変倍する光学ズーム手段を備える、請求項１０に記載の撮像装置。
【請求項１２】
前記表示画像は、前記倍率に関する情報を含むことを特徴とする、請求項１１に記載の撮像装置。
【請求項１３】
前記表示制御手段は、前記確定指示受付手段が前記確定指示を受け付けると、前記拡大画像を更新せずに参照画像として出力することを特徴とする、請求項１１に記載の撮像装置。
【請求項１４】
前記表示制御手段は、前記確定指示受付手段が前記確定指示を受け付けると、前記撮影画像を更新せずに参照画像として出力し、前記拡大画像に替えて、前記画像信号に基づく撮影画像を出力することを特徴とする、請求項１１に記載の撮像装置。
【請求項１５】
さらに、前記撮像装置の移動に伴う回転角を算出する回転角算出手段を備え、
前記表示制御手段は、前記参照画像における前記撮影画像の範囲を示す光学ズーム枠を前記表示画像と共に出力し、前記回転角算出手段によって算出された前記回転角に応じて前記光学ズーム枠を移動させ、
前記表示手段は、前記表示制御手段から出力される前記光学ズーム枠を前記表示画像と共に表示することを特徴とする、請求項１４に記載の撮像装置。
【手続補正２】
【補正対象書類名】明細書
【補正対象項目名】００７２
【補正方法】変更
【補正の内容】
【００７２】
また、表示制御部１４は、第１の画像および第２の画像の下部に、それぞれ画像情報Ｃ１およびＣ２を表示させる。第１の画像は、ズームレンズが最短焦点距離状態にあるときの撮影画像であるため、表示制御部１４は、第１の画像に関する画像情報として、ＬＣＤ表示部１３に“光学画像：１．０倍”と表示させる。また、表示制御部１４は、第２の画像の倍率を算出し、算出した倍率を画像の区別と共に画像情報としてＬＣＤ表示部１３に表示させる。例えば、第２の画像の倍率が２倍である場合、表示制御部１４は、ＬＣＤ表示部１３に“電子ズーム画像：２．０倍”と表示させる。
【手続補正３】
【補正対象書類名】明細書
【補正対象項目名】００７５
【補正方法】変更
【補正の内容】
【００７５】
さらに、ユーザは、電子ズーム枠移動スイッチ９ｂを操作し、第１の画像Ｐ１中における電子ズーム枠Ｆａの位置を移動させて、最適な構図を決定する。電子ズーム枠移動スイッチ９ｂの操作による電子ズーム枠の配置変更の指示は、操作パネル制御部１２およびマイクロコンピュータ７を介して表示制御部１４に通知される。表示制御部１４は、マイクロコンピュータ７からの指示に従い、第１の画像Ｐ１に重畳して表示されている電子ズーム枠Ｆａを移動させる。また、表示制御部１４は、電子ズーム枠Ｆａの移動に伴い、第２の画像Ｐ２の表示を更新する。
【手続補正４】
【補正対象書類名】明細書
【補正対象項目名】００８５
【補正方法】変更
【補正の内容】
【００８５】
図２の説明に戻り、ステップＳ１８において、撮影準備が行われる。ユーザが図示しないレリーズスイッチ（シャッタボタン）を半押しすると、露出決定のための測光作業や、オートフォーカス機能による合焦作業が行われる。
【手続補正５】
【補正対象書類名】明細書
【補正対象項目名】００８６
【補正方法】変更
【補正の内容】
【００８６】
ステップＳ１９において、ユーザがレリーズスイッチを全押しすると、図示しないシャッタ機構の開閉により、被写体の像が撮像素子２に露光されて電気信号に変換され、画像信号として出力される。画像信号は、アナログ信号処理部４、Ａ／Ｄ変換部５、およびデジタル信号処理部６によって処理される。マイクロコンピュータ７は、デジタル信号処理部６から出力される画像信号を記録制御部１７に渡す。ステップＳ２０において、記録制御部１７は、受け取った画像信号を記録メディア１６に記録する。これにより、撮影が完了する。
【手続補正６】
【補正対象書類名】明細書
【補正対象項目名】００８７
【補正方法】変更
【補正の内容】
【００８７】
なお、撮影完了後、プレビュー機能がＯＮの場合には、ステップＳ２１において、撮影した画像がＬＣＤ表示部１３に一定時間表示される。これにより、ユーザは、撮影した画像を確認することができる。
【手続補正７】
【補正対象書類名】明細書
【補正対象項目名】００９８
【補正方法】変更
【補正の内容】
【００９８】
ぶれ補正レンズ駆動部２０は、マイクロコンピュータ７によって算出された変動速度に応じて、補正レンズ１ｂを駆動する。具体的には、ぶれ補正レンズ駆動部２０は、光軸Ｌに垂直な画像面に対して、縦軸方向および／または横軸方向にぶれ補正レンズ１ｂを移動させ、手ぶれ等による撮影時の像ぶれを補正する。
【手続補正８】
【補正対象書類名】明細書
【補正対象項目名】０１０２
【補正方法】変更
【補正の内容】
【０１０２】
実施の形態１と同様に、ステップＳ１５において、ユーザは、ズームレンズ１ａが最短焦点距離状態にあるときに形成された第１の画像Ｐ１中に表示された電子ズーム枠Ｆａの大きさをズームレバー１０で変更し、あるいは電子ズーム枠Ｆａを電子ズーム枠移動スイッチ９ｂにて上下左右に移動して、電子ズーム枠Ｆａ内の画像を拡大した第２の画像Ｐ２を参照しながら構図を決定する。